(57)【要約】【課題】外部からのスピーカー内部への異物の挿入や混入を防止し、効果音を効果的に発生させ、正面側のスペースを有効に利用し、前面側パネルの振動による衝突音が発生することを回避できるようにした遊技機を提供する。【解決手段】スピーカーの前方に、遊技機外部と密閉した密閉空間室を設け、密閉空間室は、遊技機の外部に向かって露出する露出部と、露出部の奥側に密閉空間を介して位置する裏面部とを備え、裏面部は、表裏に開口するスピーカー取付孔を設け、スピーカー取付孔には、スピーカーを、密閉空間室の内部に向かって効果音を発生する方向に取り付け、露出部は、遊技機の正面側に情報を表示した前面側パネルを備え、前面側パネルの周囲には、弾性防振部材を設けた。【選択図】図１
2006223907.tif 000002
【特許請求の範囲】
【請求項１】
効果音を発生可能なスピーカーを有する遊技機であって、
前記スピーカーの前方に、遊技機外部と密閉した密閉空間室を設け、
前記密閉空間室は、前記遊技機の外部に向かって露出する露出部と、前記露出部の奥側に密閉空間を介して位置する裏面部とを備え、
前記裏面部は、表裏に開口するスピーカー取付孔を設け、
前記スピーカー取付孔には、前記スピーカーを、前記密閉空間室の内部に向かって効果音を発生する方向に取り付け、
前記露出部は、前記遊技機の正面側に情報を表示した前面側パネルを備え、
前記前面側パネルの周囲には、弾性防振部材を設けたことを特徴とする遊技機。
【発明の詳細な説明】
【技術分野】
【０００１】
この発明は、スピーカーの前方に、遊技機外部と密閉した密閉空間部を設けた遊技機に関するものである。
【背景技術】
【０００２】
従来、この種のスピーカーが設けられた遊技機として、例えば、スロットマシンを例に挙げることができる。通常、この種の遊技機では、各種効果音を発するスピーカーが取り付けられている。より具体的に説明すると、スロットマシンでは、スロットマシンの下部であって、スロットマシンの内部より排出される遊技メダルを受けるメダル受け皿付近にスピーカーが埋め込まれているものがある（例えば、特許文献１、図３及び段落番号０１０９参照。）。
また、他のスロットマシンでは、その正面側の前扉の上部にスピーカーが埋め込まれているものもある（例えば、特許文献２、図１及び図２参照。）。そして、これらスピーカーからは、遊技の進行状況に応じた効果音が所定のタイミングにて発せられ、遊技の雰囲気を盛り上げている。
【０００３】
そして、こられのスピーカーと、遊技機の外部との間には、カバー等が設けられているが、かかるカバー等には、スリット等の開口する孔（透音孔）が形成されている（例えば、特許文献２、図４）。すなわち、スピーカーと、遊技機外部との間には、連通する空間が形成されている。これにより、スピーカーからの音が直接、遊技機の外部の遊技者に伝達されるように形成されている。
【特許文献１】特開２００２−２９１９６６号公報（第３図）
【特許文献２】特開２００２−３５２０９号公報（第１図、第２図、第４図）
【発明の開示】
【発明が解決しようとする課題】
【０００４】
しかし、上記した従来の遊技機では、かかる連通する空間が形成されているため、かかる連通する空間を介して、異物が挿入される等の不正操作、いわゆるゴト行為が行われるといった問題点があった。
具体的には、上述したように、従来の遊技機では、スピーカーと、遊技機の外部との間には、カバー等が設けられているが、そのカバーにはスリット等の開口する孔（透音孔）が形成され、スピーカーと遊技機外部との間には、連通する空間が形成されている。かかるスリット等の開口する孔（透音孔）から、針金等を差し込み、その針金をスピーカーに突き刺して破壊させ、電気回路を短絡させる等により、電気的誤差動を誘因させるような不正操作行為、いわゆるゴト行為が行われるといった第一の問題点があった。
【０００５】
また、遊技中にコーヒーや、清涼飲料水等を飲む遊技者も多く、それらの遊技者は、飲みかけのコーヒーや、清涼飲料水のコップや、瓶を、遊技メダル受けの近くに載置していた。そして、遊技に熱中するあまり、載置したコップや、瓶を倒して、飲みかけの液体を、遊技機に向かってこぼす場合があった。かかる場合、コーヒー等の液体が、メダル受けの付近に設けたスピーカーカバーにかかり、そのスピーカーカバーの内部に設けた連通する空間（透音孔）を介して、スピーカーに液体がかかり、スピーカーが故障するといった第二の問題点もあった。
また、スロットマシン等の遊技機では、正面側に、当該遊技内容を象徴するような絵や、文字を、前面側パネルに表示して、遊技機の内容が、遠くから離れた位置からで一目で理解できるように形成されていた。また、遊技内容の進行に関連する種々の効果音をスピーカーから発生させていたが、かかるスピーカーは、メダル受けの上の左右や、正面の最上部の左右等に、スピーカーの取付スペースを、必要としていた。しかし、遊技内容の種々の演出が複雑になるにつれて、その効果音も大音量、高音質が求められ、スピーカーの大口径化が進行している。かかる大口径のスピーカーを、遊技機の正面に設けると、取付スペースも大きくなり、遊技機の正面側のスピーカー以外のスペースが手狭になるといった第三の問題点もあった。
【０００６】
そこで、各請求項にそれぞれ記載された各発明は、上記した従来の技術の有する問題点に鑑みてなされたものであり、その目的とするところは、次の点にある。
（請求項１）
すなわち、請求項１記載の発明は、上記した従来の技術の有する第一及び第二の問題点に鑑みてなされたものであり、その目的とするところは、スピーカーを外部に露出した場合の音質や音量等のスピーカー性能は維持した状態のままで、外部からのスピーカー内部への異物の挿入や混入を防止することができるようにした遊技機を提供しようとするものである。
【０００７】
更に、請求項１記載の発明は、上記した従来の技術の有する第三の問題点に鑑みてなされたものであり、その目的とするところは、前面側パネルの情報とあいまって、効果音を効果的に発生させることができるとともに、遊技機の正面側のスペースを有効に利用することができるようにした遊技機を提供しようとするものである。
更に、請求項１記載の発明は、前面側パネルの振動による衝突音が発生することを回避することができるようにした遊技機を提供しようとするものである。
【課題を解決するための手段】
【０００８】
（特徴点）
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものでない。
（請求項１）
請求項１記載の発明は、次の点を特徴とする。
【０００９】
すなわち、効果音を発生可能なスピーカー(90)を有する遊技機(Ｓ)であって、前記スピーカー(90)の前方に、遊技機(Ｓ)外部と密閉した密閉空間室(60)を設け、前記密閉空間室(60)は、前記遊技機(Ｓ)の外部に向かって露出する露出部(61)と、前記露出部(61)の奥側に密閉空間を介して位置する裏面部(62)とを備え、前記裏面部(62)は、表裏に開口するスピーカー取付孔(72)を設けている。
そして、前記スピーカー取付孔(72)には、前記スピーカー(90)を、前記密閉空間室(60)の内部に向かって効果音を発生する方向に取り付けている。
そして、前記露出部(61)は、前記遊技機(Ｓ)の正面側に情報を表示した前面側パネル(64)を備えている。
【００１０】
そして、前記前面側パネル(64)の周囲には、弾性防振部材(70)を設けている。
なお、ここで、「効果音を発生可能なスピーカー(90)」の「効果音」とは、音楽や、電子音や、音声等を含むものであって、遊技中の遊技内容や、遊技の進行を反映しているものである。また、「スピーカー(90)」とは、特に図示していないが、密閉空間室(60)の裏面部(62)に接続固定されるフレームと、磁石と、電流を流すことにより自身が振動するボイスコイルと、このボイスコイルとともに振動して音を発する振動板としてのコーン紙とを備えているものである。
また、ここで、「前記スピーカー(90)の前方」の「前方」とは、スピーカー(90)が音を外部に向かって発生する方向の前方を意味する。
【００１１】
また、ここで、「遊技機(Ｓ)外部と密閉した」とあるが、遊技機(Ｓ)外部と、空気の交換が全く行われないような完全密閉までを意味するものではなく、遊技機(Ｓ)の外部との間で、針金等を通すことができるような連通する空間が無いようなもので充分なものである。また、遊技機(Ｓ)外部と密閉していれば良いものであって、遊技機(Ｓ)の内部とは、特に密閉の有無は問わないものである。
また、ここで、「前記遊技機(Ｓ)の外部に向かって露出する」とは、遊技機(Ｓ)の外部に向かって、表面に現れていることを意味し、スロットマシンのような六面体の場合、スロットマシンの前面、上面、左側面、右側面、裏面、底面のいずれかの表面に露出していることを意味する。具体的には、スロットマシンの前扉(3)、上板(11)、左右の側板(24)、裏板(17)、底板(15)のいずれかの表面に現れていることを意味する。
【００１２】
また、ここで、「密閉空間」とは、密閉空間室(60)の内部の密閉された空間を意味するものである。
また、ここで、「前記スピーカー(90)を、前記密閉空間室(60)の内部に向かって効果音を発生する方向に取り付けた」とは、裏面部(62)のスピーカー取付孔(72)にスピーカー(90)が取り付けられているが、その取り付けられたスピーカー(90)の取付方向は、スピーカー(90)から発生する効果音が、密閉空間室(60)の内部に向かって発生する方向に取り付けられていることを意味する。具体的には、裏面部(62)に表裏に貫通して開口するスピーカー取付孔(72)を設け、かかるスピーカー取付孔(72)にスピーカー(90)を、当該スピーカー(90)から発生する音が、密閉空間室(60)内部に向かって放出されるような方向に、すなわち、更に、具体的には、スピーカー(90)のコーン紙(73)側が、密閉空間室(60)の内部に向かって臨むような位置に取り付けられて、スピーカー(90)の音の発生方向が密閉空間室(60)内部に向かうように形成されていることを意味する。
【００１３】
また、ここで、「前記遊技機(Ｓ)の正面側に情報を表示した前面側パネル(64)」の「正面側」とは、遊技機(Ｓ)の前面側に遊技者が座って遊技を行うような場合、遊技機(Ｓ)から遊技者側に臨む方向の面側を意味する。具体的には、スロットマシンのような六面体の場合、遊技者側に臨む方向の面であるスタートレバー等が配置されている正面に向かって、前面側パネル(64)が露出することを意味するものである。
また、ここで、「情報を表示」とあるが、「情報」とは、絵や、文字等の視覚的なものを意味するものである。そして、かかる絵や文字等は、必ずしも紙やプラスチック板等に描かれた静止画に限定されるものではない。例えば、液晶ディスプレイや、有機ＥＬ（Electro Luminescence）ディスプレイ等のフラットパネルディスプレイを前面側パネル(64)として使用して、動画を情報として表示するようなものも含まれる。
【００１４】
なお、ここで、「弾性防振部材(70)」とは、ゴムや、ゴムテープ、スポンジ、発泡スチロール等の弾性材料からなるものである。
また、ここで、「前記前面側パネル(64)の周囲」とは、前面側パネル(64)に直接、弾性防振部材(70)を、貼付する等により形成しても良く、また、前面側パネル(64)が接触する周囲に、弾性防振部材(70)を貼付する等により形成しても良く、また、前面側パネル(64)と、その前面側パネル(64)の周囲との間に、弾性防振部材(70)を、別途、挟み込むようにして、介在させても良いものである。
（作用）
本発明は、裏面部(62)のスピーカー取付孔(72)には、スピーカー(90)を、密閉空間室(60)の内部に向かって効果音を発生する方向に取り付けている。このため、裏面部(62)のスピーカー取付孔(72)に取り付けたスピーカー(90)から、密閉空間室(60)の内部に効果音を発生し、密閉空間室(60)の内部の空気を振動させることができる。そして、かかる密閉空間室(60)の空気の振動により、遊技機(Ｓ)の外部に向かって露出する露出部(61)を振動させることができる。そして、かかる露出部(61)の振動により、遊技機(Ｓ)の外部に向かって、空気の振動を伝達させることができ、遊技機(Ｓ)の外部にスピーカー(90)からの効果音を、伝達させることができる。これにより、スピーカー(90)を遊技機(Ｓ)の正面側に向かって露出するように配置した場合の音質や、音量と比較して、同等以上の音質や、音量の効果音を伝えることができる。
【００１５】
そして、本発明は、スピーカー(90)の前方に、遊技機(Ｓ)外部と密閉した密閉空間室(60)を設け、遊技機(Ｓ)の外部に向かって露出する露出部(61)の奥側に密閉空間を介して裏面部(62)を設け、この裏面部62のスピーカー取付孔(72)にスピーカー(90)が取り付けられている。このため、スピーカー(90)の前方の露出部(61)から針金や棒状のものを差し込んで、密閉空間室(60)の内部に挿入することができず、結果として、針金等をスピーカー(90)の前方から差し込むことができない。これにより、針金等の異物が挿入されことによる不正操作、いわゆるゴト行為を防止することができる。
また、スピーカー(90)の前方に遊技機(Ｓ)外部と密閉した密閉空間室(60)を設けたことにより、遊技機(Ｓ)の外部から遊技者の飲みかけのコーヒー等の液体をこぼしても、かかる液体が、スピーカー(90)に到達することがない。これにより、スピーカー(90)に液体がかかり、スピーカー(90)が故障するようなことを防止することができる。
【００１６】
上述したように、スピーカー(90)を外部に露出した場合の音質や音量等のスピーカー(90)性能は維持した状態のままで、外部からのスピーカー(90)内部への異物の挿入や混入を防止することができる。
更に、本発明は、露出部(61)は、遊技機(Ｓ)の正面側に情報を表示した前面側パネル(64)を備えている。そして、露出部(61)の奥側の裏面部(62)に取り付けたスピーカー(90)からの効果音の発生により、密閉空間室(60)の空気が振動し、その振動が露出部(61)の前面側パネル(64)に伝わり、前面側パネル(64)の振動により、遊技機(Ｓ)の外部へ、空気振動が伝達して、音が伝わっている。したがって、前面側パネル(64)の振動により、音が発生しているため、前面側パネル(64)から効果音が発生しているように聞こえる。したがって、前面側パネル(64)に表示する情報とあいまって、効果音を効果的に発生させることができ、演出効果を高めることができる。
【００１７】
具体的には、例えば、前面側パネル(64)の情報に、特定のキャラクターの絵を表示させ、スピーカー(90)の効果音として、かかるキャラクターの音声を発生させることにより、前面側パネル(64)に表示されたキャラクターから直接、声が出ているような感じとなり、スピーカー(90)からの効果音と、前面側パネル(64)に表示された情報とを有機的に関連性を持たせることができる。
また、前面側パネル(64)の奥側の裏面部(62)にスピーカー(90)を取り付けているため、別途、スピーカー(90)を取り付けるための取付スペースを遊技機(Ｓ)の前面側に設ける必要がない。これにより、遊技機(Ｓ)の正面側のスペースを有効に利用することができる。
【００１８】
更に、本発明は、スピーカー(90)による密閉空間室(60)の空気の振動により、前面側パネル(64)が振動しても、かかる振動を、弾性防振部材(70)により、吸収することができる。これにより、前面側パネル(64)の振動が、前面側パネル(64)の周囲に、直接、当接して、振動による衝突音、いわゆるビビリ音が発生することを回避することができる。
【発明の効果】
【００１９】
本発明は、以上のように構成されているので、以下に記載されるような効果を奏する。
（請求項１）
請求項１記載の発明によれば、次のような効果を奏する。
すなわち、請求項１記載の発明によれば、スピーカーを外部に露出した場合の音質や音量等のスピーカー性能は維持した状態のままで、外部からのスピーカー内部への異物の挿入や混入を防止することができるようにした遊技機を提供することができる。
更に、請求項１記載の発明によれば、前面側パネルの情報とあいまって、効果音を効果的に発生させることができるとともに、遊技機の正面側のスペースを有効に利用することができるようにした遊技機を提供することができる。
【００２０】
更に、請求項１記載の発明によれば、前面側パネルの振動による衝突音が発生することを回避することができるようにした遊技機を提供することができる。
【発明を実施するための最良の形態】
【００２１】
（図面の説明）
図１乃至図４は、本発明の実施の形態を示すものである。
図１は密閉空間室の縦断面図、図２は遊技機の分解組立図、図３はパネルユニットを取り外した状態の下扉の外観斜視図、図４は前面側パネルの外観斜視図をそれぞれ示すものである。
本実施の形態に係る遊技機Ｓは、スロットマシンであって、正面側に開口する正面開口部26を有する略箱状の本体キャビネット1と、この本体キャビネット1の正面開口部26を開閉自在に塞ぐための前扉3と、複数の図柄が表示された回転リール23及びこの回転リール23を回転させるための回転手段である駆動モータを有するリールユニット22と、回転リール23の回転を制御するための主制御装置25と、遊技メダルを貯留するとともに払い出すためのホッパーユニット5と、回転リール23の回転を制御するための主制御装置25と、各部品に電力を供給するための電源ユニット4とを備えている。
【００２２】
前記前扉3は、本体キャビネット1の正面開口部26の上部側を開閉自在に塞ぐための上扉30と、本体キャビネット1の正面開口部26の下部側を開閉自在に塞ぐための下扉40とを備えている。
（本体キャビネット1）
上記本体キャビネット1は、底板15、側板13、上板11及び裏板17からなる正面側に開口する正面開口部26を有する略箱状の筺体である。そして、左右の側板13の内側の高さ方向の略中央部には、本体キャビネット1の内部を、上下の二つに仕切るための中板18が横方向に渡されている。
【００２３】
上記本体キャビネット1は、その底板15の上面に、遊技メダルを貯留し、或いは払い出すためのホッパーユニット5が設置されている。
前記本体キャビネット1の中板18の下面には、遊技機Ｓ内部の各部品に電力を供給するための電源ユニット4が固定されている。そして、この電源ユニット4の上面側には、遊技機Ｓの各種の設定を変更するためのスイッチ等が配置されている。
上記本体キャビネット1の正面から向かって左側の側板13の手前側の端部には、下扉40を係合して、回動可能に支持するための下扉用被係合部37が形成されている。この下扉用被係合部37は、下扉40を係合させ、回転自在に支持するためのものであって、本体キャビネット1の下部の上下方向に間隔をおいて二つ設けられている。上記下扉用被係合部37は、いずれも上端側が自由端となるような円柱棒状の金属からなるものである。
【００２４】
（交換ユニット9）
上記交換ユニット9は、中板18の上に載置可能であるとともに、主制御装置25及びリールユニット22を備えている。具体的には、交換ユニット9は、遊技機Ｓ内部の部品を設置するための四角枠状の部材を組み合わせた枠状支持体21と、この枠状支持体21に固定されたリールユニット22及び制御ユニット24とから形成されている。
ここで、リールユニット22は、周囲に複数の図柄を表示した複数の回転リール23と、特に図示しないが、回転リール23を回転させるための回転手段からなる駆動モータを有している。また、前記制御ユニット24には、遊技及びスロットマシンの作動を制御するための主制御装置25と、特に図示していないが各種演出を行うための副制御装置が含まれている。
【００２５】
上記枠状支持体21の正面から向かって左側の手前側の端部には、上扉30を係合して、回動可能に支持するための上扉用被係合部36が形成されている。この上扉用被係合部36は、上扉30を係合させ、回転自在に支持するためのものであって、枠状支持体21の上下方向に間隔をおいて二つ設けられている。上記上扉用被係合部36は、いずれも上端側が自由端となるような円柱棒状の金属からなるものである。
（上扉30）
上記上扉30は、正面開口部26の上部を塞ぐためのものであって、本体キャビネット1の上部に回動自在に形成されている板状の扉である。この上扉30は、略中央部に前記回転リール23の図柄を正面側から見ることができる表示窓31を有し、周囲に飾り部33を設けてある。そして、種々の表示を行うための表示装置32が設けられているものである。
【００２６】
ここで、前記飾り部33は、ランプ等により形成しても良く、入賞の報知その他の演出時にランプが点滅するようにしてもよい。また、前記表示装置32は、７セグメントＬＥＤ等により数字を表示するものや、特に図示しないが、画像を表示するための液晶画面あるいはＣＲＴなどとしてもよい。
また、上扉30の裏面には、交換ユニット9の円柱棒状の上扉用被係合部36と係合可能な円筒状の上扉用係合部（図示せず）が上下方向に間隔をおいて二つ設けられており、上扉用被係合部36の左右方向の対向側には、上扉30のロック機構（図示せず）が設けられている。
【００２７】
（下扉40）
下扉40は、正面開口部26の下部を塞ぐためのものであって、本体キャビネット1の下部に回動自在に形成されている板状の扉である。
下扉40の上部は、スロットマシンＳを作動させるための操作部41となっている。また、下扉40の下部には払い出されたメダルを溜めておくためのメダル受け43が形成されており、下扉40の略中央部には、遊技内容その他の表示をするための前面側パネル64がはめ込まれている。
前記操作部41としては、下扉40の上面右端にはメダル投入口42及び上面左側に設けられたベットスイッチ、正面側にはスタートスイッチ及びストップスイッチ及び鍵穴44が設けられている。なお、ベットスイッチとは、貯留メダルをメダル投入に代えるためのものであり、スタートスイッチ及びストップスイッチは、回転リール23の回転を開始及び停止させるためのものである。また、鍵穴44は、下扉40を解錠するためのものであり、この穴に所定の鍵を差し込んで回すと、下扉40の下扉ロック機構のロックが解除されるものである。
【００２８】
また、下扉40の裏面には、円柱棒状の下扉用被係合部37と係合可能な円筒状の下扉用係合部（図示せず）が上下方向に間隔をおいて二つ設けられており、下扉用被係合部37の左右方向の対向側には、下扉40のロック機構（図示せず）が設けられている。
前記前面側パネル64の奥には、遊技進行の際、音楽や、音声や、電子音等の効果音を発生可能なスピーカー90が取り付けられている。
そして、前記スピーカー90の前方には、遊技機Ｓの外部と密閉した密閉空間室60が形成されている。
（密閉空間室60）
上記密閉空間室60は、スピーカー90の前方に位置して、遊技機Ｓ外部と密閉した空間からなるものである。
【００２９】
この密閉空間室60は、遊技機Ｓの外部に向かって露出する露出部61と、この露出部61の奥側に密閉空間を介して位置し、スピーカー90を、密閉空間室60の内部に向かって効果音を発生するように取り付けた裏面部62とを備えている。
前記露出部61は、下扉40の操作部41と、メダル受け43との間にはめ込まれたパネルユニット71からなるものである。このパネルユニット71は、遊技機Ｓの正面側に情報を表示した前面側パネル64と、この前面側パネル64の周囲を枠状に囲んで、前面側パネル64を支持するためのパネル支持枠69とを備えている。
前記前面側パネル64は、図４に示すように、全体形状が、薄板の長方形状であって、透光材からなる半透明の樹脂から形成されている。そして、この前面側パネル64の表面には、当該遊技機Ｓの遊技内容を象徴するような絵や、遊技に登場するキャラクターの絵が予め描かれている。そして、同時に当該遊技機Ｓの名称等も、文字により、描かれているものである。さらに、前面側パネル64の正面側の左右両端には、各種、検定結果の合格シールや、認定結果の合格シール等が貼付されるものである。そして、前面側パネル64の周囲には、ゴム状のシールテープからなる弾性防振部材70が貼付されている。
【００３０】
前記パネル支持枠69は、全体形状が略四角枠状であって、中央に開口する四角形の四角開口部74に前記前面側パネル64がはめ込まれるように形成されている。このパネル支持枠69の左右の縦枠には、前面側パネル64の厚みよりも僅かに大きな幅を有するスライド溝75が形成されている。このスライド溝75は、上方に向かって開放してあり、前面側パネル64を上方から差し込み可能に形成されているものである。
前記パネル支持枠69の左右には、遊技機Ｓの奥側に向かって突出する上係合部65が形成されている。この上係合部65は、その先端が鉤状に形成され、下扉40の左右の前面側に表裏に開口する上係合孔67に係合可能に形成されている。
【００３１】
前記パネル支持枠69の下端には、斜め下方に向かって突出する下係合部66が、左右に４個並んで形成されている。この下係合部66は、その先端が鉤状に形成されている。そして、下係合部66は、下扉40のメダル受け43の上の前面側に４個並んで、表裏に開口する下係合孔68に係合可能に形成されている。パネルユニット71を取り付ける際には、パネル支持枠69の下係合部66を下扉40の下係合孔68に、差し込んで、その状態で、パネルユニット71の下部を回転の中心として、パネルユニット71の上部を、奥側に向かって押し込むと、左右の上係合部65が、下扉40の上係合孔67にはまりこんで、固定することができる。その固定した状態で、前面側パネル64の周囲には、弾性防振部材70が形成されているため、前面側パネル64の上部、下部及び左右の側部のいずれも、弾性防振部材70が介在することとなる。これにより、前面側パネル64が振動した際、前面側パネル64が、周囲のパネル支持枠69や、密閉空間室60に、当たって、異音、いわゆるビビリ音を発生するようなことを防止することができる。
【００３２】
前記裏面部62は、円形状に表裏に開口するスピーカー取付孔72が形成されている。そして、このスピーカー取付孔72には、スピーカー90が、密閉空間室60の内部に向かって効果音を発生することができるように、すなわち、正面方向にスピーカー90の前面が臨むように取り付けられている。このスピーカー90は、電気信号により、コイル（図示せず）が振動し、このコイルとともにコーン紙73が振動して音を発生するものである。
前記裏面部62は、その下部に、左右に長尺方向を有する蛍光灯81からなる発熱発光体80を設けている。この蛍光灯81から発する光が、透光材からなる半透明の前面側パネル64を裏面側から明るく照射するものである。これにより、前面側から見て、前面側パネル64の全体を明るく発光させることができ、前面側パネル64に描かれた絵や、文字を、遊技ホールの薄暗い照明の中で、明るく浮かび上がらせることができる。
【００３３】
また、蛍光灯81からなる発熱発光体80は、点灯により、熱を発生させる。これにより、密閉空間室60の内部の空気の温度を、上昇させることができる。この密閉空間室60の温度上昇により、密閉空間室60に向かって臨むコーン紙73が吸湿した水分を蒸発させることができる。これにより、長期間の使用により吸湿して重たくなったコーン紙73の重量を軽量化させることができ、電気信号による振動を活発化させて、初期性能を維持することができ、高音質の効果音を発生させることができる。
本実施の形態では、裏面部62のスピーカー取付孔72に、スピーカー90を、密閉空間室60の内部に向かって効果音を発生する方向に取り付けている。このため、裏面部62のスピーカー取付孔72に取り付けたスピーカー90から、密閉空間室60の内部に効果音を発生し、密閉空間室60の内部の空気を振動させることができる。そして、かかる密閉空間室60の空気の振動により、遊技機Ｓの外部に向かって露出する露出部61である前面側パネル64を振動させることができる。そして、かかる露出部61である前面側パネル64の振動により、遊技機Ｓの外部に向かって、空気の振動を伝達させることができ、遊技機Ｓの外部にスピーカー90からの効果音を、伝達させることができる。しかも、前面側パネル64の正面の位置に、遊技者は座って遊技をしているため、遊技者の真正面に位置する前面側パネル64から効果音を発生させることができる。また、スピーカー90の面積よりも、前面側パネル64の面積の方が、はるかに大きいため、迫力のある効果音を発生することが可能となるものである。これにより、スピーカー90を遊技機Ｓの正面側に向かって露出するように配置した場合の音質や、音量と比較して、同等以上の音質や、音量の効果音を伝えることができる。
【００３４】
そして、本発明は、スピーカー90の前方に、遊技機Ｓ外部と密閉した密閉空間室60を設け、遊技機Ｓの外部に向かって露出する露出部61である前面側パネル64の奥側に密閉空間を介して裏面部62を設け、この裏面部62のスピーカー取付孔72にスピーカー90が取り付けられている。そして、この密閉空間室60は、遊技機Ｓの外部から密閉されているため、スピーカー90の前方の露出部61から針金や棒状のものを差し込んで、密閉空間室60の内部に挿入することができず、結果として、針金等をスピーカー90の前方から差し込むことができない。これにより、針金等の異物が挿入されことによる不正操作、いわゆるゴト行為を防止することができる。
【００３５】
また、スピーカー90の前方に遊技機Ｓ外部と密閉した密閉空間室60を設けたことにより、遊技機Ｓの外部から遊技者の飲みかけのコーヒー等の液体をこぼしても、かかる液体が、スピーカー90に到達することがない。これにより、スピーカー90に液体がかかり、スピーカー90が故障するようなことを防止することができる。
上述したように、本実施の形態に係る遊技機Ｓは、スピーカー90を外部に露出した場合の音質や音量等のスピーカー90性能は維持した状態のままで、外部からのスピーカー90内部への異物の挿入や混入を防止することができる。
また、本実施の形態に係る遊技機Ｓは、露出部61は、遊技機Ｓの正面側に情報を表示した前面側パネル64を備えている。そして、前面側パネル64の奥側の裏面部62に取り付けたスピーカー90からの効果音の発生により、密閉空間室60の内部の空気が振動し、その空気振動が露出部61の前面側パネル64に伝わり、前面側パネル64の振動により、遊技機Ｓの外部へ、空気振動が伝達して、音が伝わっている。したがって、前面側パネル64の振動により、音が発生しているため、前面側パネル64から効果音が発生しているように聞こえる。したがって、前面側パネル64に表示する情報とあいまって、効果音を効果的に発生させることができ、演出効果を高めることができる。
【００３６】
具体的には、前面側パネル64の情報に、特定のキャラクターの絵を表示させ、スピーカー90の効果音として、かかるキャラクターの音声を発生させることにより、前面側パネル64に表示されたキャラクターから直接、声が出ているような感覚を受け、スピーカー90からの効果音と、前面側パネル64に表示された情報とを有機的に関連性を持たせることができ、演出効果を高めることができる。
また、前面側パネル64の奥側の裏面部62にスピーカー90を取り付けているため、別途、スピーカー90を取り付けるための取付スペースを遊技機Ｓの前面側に設ける必要がない。これにより、遊技機Ｓの正面側のスペースを有効に利用することができる。さらに、演出重視の傾向により、より大口径のスピーカー90に対しても、遊技機Ｓの正面側の配置レイアウトに悩むことなく、採用することができる。
【図面の簡単な説明】
【００３７】
【図１】本発明の実施の形態であって、密閉空間室を示す縦断面図である。
【図２】本発明の実施の形態であって、遊技機を示す分解組立図である。
【図３】本発明の実施の形態であって、パネルユニットを取り外した状態の下扉を示す外観斜視図である。
【図４】本発明の実施の形態であって、前面側パネルを示す外観斜視図である。
【符号の説明】
【００３８】
Ｓ  遊技機                          1  本体キャビネット
3  前扉                             4  電源ユニット
5  ホッパーユニット                 9  交換ユニット
11  上板                            13  側板
15  底板                            17  裏板
18  中板                            21  枠状支持体
22  リールユニット                  23  回転リール
24  制御ユニット                    25  主制御装置
26  正面開口部                      30  上扉
31  表示窓                          32  表示装置
33  飾り部                          36  上扉用被係合部
37  下扉用被係合部                  40  下扉
41  操作部                          42  メダル投入口
43  メダル受け                      44  鍵穴
60  密閉空間室                      61  露出部
62  裏面部                          64  前面側パネル
65  上係合部                        66  下係合部
67  上係合孔                        68  下係合孔
69  パネル支持枠                    70  弾性防振部材
71  パネルユニット                  72  スピーカー取付孔
73  コーン紙                        74  四角開口部
75  スライド溝                      80  発熱発光体
81  蛍光灯                          90  スピーカー
【図１】
2006223907.tif 000003
【図２】
2006223907.tif 000004
【図３】
2006223907.tif 000005
【図４】
2006223907.tif 000006